(57)【要約】【課題】本発明は、テレビジョン・セットの状態および利用可能な機能に関するコンテキスト情報の領域のみならず、１つ以上のグラフィックもしくはビデオ・コンテンツを結合するマルチメディア・データ・テレビジョン・セットの表示を制御する方法に関する。方法は、外部手段からの少なくとも１つの識別子に依存する機能に向かって動的コネクタ（４）を開くためのみならず、視覚表現コンテキストをパーソナライズするための操作の実行に専用な手段を備えるセキュア・ソフトウェア・アプリケーションを、テレビジョン・セットにインストールするステップを備える。【選択図】図１
2015533031.tif 000002
【特許請求の範囲】
【請求項１】
テレビジョン・セットの状態および前記テレビジョン・セットの利用可能な機能に関するコンテキスト情報の領域と同様に、１つ以上のグラフィックまたはビデオ・コンテンツを結合するマルチメディア・データ・テレビジョン・セットのディスプレイを制御する方法であって、
前記方法は、
前記テレビジョン・セット（２）のデフォルト操作を制御する初期環境設定のステップと、
前記テレビジョン・セット（２）がインターネット・プロトコルに従う双方向通信を行うサーバ（３）からの少なくとも１つの環境設定ファイルを前記テレビジョン・セット（２）にインストールするステップと、
を備え、
前記環境設定ファイルは、前記機能に向かって動的コネクタ（４）を開くためのみならず、視覚表現コンテキストをパーソナライズする操作の実行に専用な手段を備える環境設定ファイルであり、
前記機能は、外部手段からの１つの識別子に少なくとも依存する、前記デフォルト機能に対しての新規および／または代替機能であり、
前記新規および／または代替機能は、少なくとも、ビデオ・オン・デマンドのカタログへのアクセス、放送コンテンツ網に登録するためのプラットフォームをダウンロードするアプリケーションもしくはゲームへのアクセス、デフォルトの視覚表現とは異なる視覚表現をパーソナライズするための電子商取引プラットフォームへのアクセス、またはオン・ライン支払いプラットフォームへのアクセスの機能を備えることを特徴とする、方法。
【請求項２】
前記外部手段からの識別子は、暗号化機能を処理する手段をさらに備えるセキュア・メモリ・カード内に保存されることを特徴とする、請求項１に記載の方法。
【請求項３】
前記外部手段からの識別子は、サーバによる識別および認証モードに従って、コンテンツ提供運用者のネットワークを通して伝送されることを特徴とする、請求項１に記載の方法。
【請求項４】
前記外部手段からの識別子は、前記コンテンツ提供運用者のローカル網のアクセス・ポイントにおいて交換される情報によって構成されることを特徴とする、請求項１に記載の方法。
【請求項５】
前記外部手段からの識別子は、接続されたリモートコントロール周辺機器と連携する通信運用者に対応する情報で構成されることを特徴とする、請求項１に記載の方法。
【請求項６】
前記外部手段からの識別子は、ユーザ認証手段によって決定されることを特徴とする、請求項１に記載の方法。
【請求項７】
前記外部手段からの識別子は、サードパーティ機器と前記テレビジョン・セットまたは前記デコーダ（２）との間のＨＤＭＩ（登録商標）接続を通して交換される、前記サードパーティのオーディオ・ビジュアル機器からの情報で構成されることを特徴とする、請求項１に記載の方法。
【請求項８】
前記外部手段からの識別子は、前記テレビジョン・セットもしくは前記デコーダ（２）によって受信されるビデオ信号内へコンポジションによって書き込まれる情報で構成されることを特徴とする、請求項１に記載の方法。
【請求項９】
パーソナライゼーション・データは、プロファイル専用の視覚表現識別子としてのみならず、利用可能なサービス識別子を含むＸＭＬタイプの前記環境設定ファイルによってプロファイル内に保存されることを特徴とする、請求項１から８のいずれか一項に記載の方法。
【請求項１０】
視覚表現データはＸＭＬタイプの前記環境設定ファイル内に保存されることを特徴とする、請求項１から８のいずれか一項に記載の方法。
【請求項１１】
サービス・パーソナライゼーション・データはバイナリ・ファイルとして１つ以上の前記コネクタ（４）内に保存され、前記デコーダ（２）内へのインストール後の、前記サービス・パーソナライゼーション・データのローカル実行は前記サービスへのアクセスを付与することを特徴とする、請求項１から８のいずれか一項に記載の方法。
【請求項１２】
テレビジョン・セット・パーソナライゼーション・データは接続されている周辺機器の少なくとも一部において伝搬されることを特徴とする、請求項１から１１のいずれか一項に記載の方法。
【請求項１３】
前記デコーダ（２）内に保存されている前記コネクタ（４）を更新するステップを備えることを特徴とする、請求項１から１２のいずれか一項に記載の方法。
【請求項１４】
前記方法は、放送コンテンツへリンクした対話型コンテンツ・サービス用コネクタを備え、サードパーティ・コンテンツに向かうリンク環境と放送コンテンツとが動的に連携するテレビジョン・チャネルを可能にすることを特徴とする、請求項１から１３のいずれか一項に記載の方法。
【請求項１５】
デジタル・テレビジョン・セットが、
前記テレビジョン・セットの状態および前記テレビジョン・セットの利用可能な機能と関連するコンテキスト情報の領域のみならず、１つ以上のグラフィックまたはビデオ・コンテンツを結合するマルチメディア・データの表示を制御する手段と、
外部手段からの少なくとも１つの情報項目に依存する機能に向かって動的コネクタを開くための操作のみならず、視覚表現コンテキストをパーソナライズするための操作の実行に専用な手段を有するセキュア・ソフトウェア・アプリケーションと、
を備えることを特徴とする、デジタル・テレビジョン・セット。
【請求項１６】
前記デジタル・テレビジョン・セットが、前記外部手段からの情報項目に基づくサービスへのアクセスを有する複数の動的に活性化されたコネクタを備えることを特徴とする、請求項１５に記載のデジタル・テレビジョン・セット。
【発明の詳細な説明】
【技術分野】
【０００１】
本発明は、デジタル・テレビジョン分野に関する。特に、加入者が多重テレビジョン番組、またはサービスを受信することが可能であるデジタル・テレビジョン・デコーダと連携する、またはデジタル・テレビジョン・デコーダと一体化しているデジタル・テレビジョンに関する。
【０００２】
本明細書における「テレビジョン・セット」は、デコーダと一体化しているテレビジョン・セットのみならず、周辺デコーダに接続されるテレビジョン・セットを意味する。
【０００３】
ユーザ機器には幾つかの関係者が関与する：
・テレビジョン・セットまたは一般的なデコーダの製造者、そしてそれらの販売者、
・専用デコーダ、またはデコーダもしくは一般的なテレビジョン・セットを制御するカードと連携した加入を提供するサービス運用者、
・例えば、ビデオ・オン・デマンド、アプリケーション・プラットフォーム（Ａｐｐ  Ｓｔｏｒｅ：米国登録商標）、インターネット・ビデオ・サービス等のコンテンツのカタログを、運用者による提供を経て、または運用者による提供の外側で利用可能なサービスおよびコンテンツ提供者。
【０００４】
サービス運用者は、全てのコンテンツ、および／または、サービスを提供する運用者を意味し、プログラム、コンテンツ、テレビジョン・サービス、オーディオ・ビジュアルまたはアプリケーション・デジタル・コンテンツ、関連するメタデータ、およびオーディオ・ビジュアルまたはアプリケーション・デジタル・コンテンツのカタログへのアクセスを付与する。
【０００５】
従来技術では、リースされる個々のデコーダは、単一の運用者によって配信されるテレビジョン・サービスを暗号解除するよう通常プログラムされている。特定のアプリケーションは、プログラム・メモリのロッキング・アプリケーションとも呼ばれ、前記デコーダによって唯一正当化されている運用者に、デコーダの操作を固定する。殆どの場合、そのようなロッキングはデコーダを製造する時点で活性化される。
【背景技術】
【０００６】
従来、欧州特許公報第１８１４３３１号が技術水準として知られている。この特許はデジタル・テレビジョン・デコーダ内で、正当な運用者を識別する方法を開示する。特に前記デコーダは、データ・メモリ、プログラム・メモリ、およびデコーダ内に挿入された権利管理カードが正当なカードであることをチェックするアクセス制御モジュールを備え、前記カードはメモリユニット内に特定の運用者に専用である情報の項目を備え、方法は以下の異なるステップを備えることを特徴としている。
・データ・メモリ内に正当な運用者のリストを記憶するステップ、なお、前記リストは少なくとも第１の運用者（コード１）および第２の運用者（コード２）を備える；
・アクセス制御モジュールを用いて、カードが正当な運用者のリスト内の運用者の１つに属する特定の運用者であることをチェックするステップ；必要であるなら、デコーダの通常の運用を正当化するステップ。
【０００７】
米国特許出願公開第２００９／００１４４７６６号もまた知られている。この特許は、販売後に、多重放送ビデオ信号を経由しての認証およびシステム・ダウンロードを用いて、暗号解除アプリケーションをインストールすることができる「汎用的」ケーブルデコーダを記載している。
【０００８】
従来技術でのこの解決策は、多重放送信号を経由して新サービスを活性化するためのキーを含むファイルをダウンロードできるようにする。
【発明の概要】
【発明が解決しようとする課題】
【０００９】
米国特許出願公開第２００９／００１４４７６６号が提供する解決策は、各運用者の特別なサービス提供に適応することができない、そして、運用者無しで実行することができない。この解決策は視覚表現を変更することができない、しかし、デコーダのセキュリティ・スキームを制御するだけである。
【００１０】
欧州特許公報第１８１４３３１号またはCuutsの論文が提供する従来技術の解決策は非常に制限的である。運用者が権利管理メモリ・カードを使用し、予め運用者のメモリに記憶され、そしてデコーダの製造時に設定が保存された場合においてのみ適用できる。
【００１１】
従来技術のこの解決策は、運用者無しでのサービス提供（“over the top”）を出現させる、接続されたテレビジョン・セットのコンテキスト（context）には適用されない。
【００１２】
この場合、サービスへのアクセスと、加入時点でのデコーダの運用者による設定との間の強制的なリンクはもはや適切ではない。
【００１３】
さらに、従来技術での解決策は、各運用者の環境設定データがデコーダの製造時点において、デコーダのメモリ内に事前に保存される。しかしながら、現在可能なサービスは非常に早く変化している。そして、提案された解決策はそのような急速な変化を満足するように追随できない。
【００１４】
従来技術での解決策は、事前登録された運用者の間での変更に制限されており、運用者を動的に追加する、あるいは事前登録された運用者のパラメータを動的に編集する全ての可能性を除外している。
【００１５】
結果として、従来技術の解決策では、例えば、運用者のネットワークの外部で販売された機器における、運用者有り、および／または、運用者無しでの操作の融合を管理することは不可能である。従来技術の解決策では接続された周辺機器と同期させることもまたできない（段落００２２参照）
【００１６】
伝送されたファイルは、例えば付加チャネルを暗号解除するなどのようにサービス・パッケージの更新を可能にするが、テレビジョン・セットの環境設定の更新、より特定的にはテレビジョン・セットの視覚表現、および単純なチャネルの選択以外の対話型サービスの更新ができない。
【課題を解決するための手段】
【００１７】
従来技術の解決策と異なり、本発明の主な目的はアクセス制御の連続的な環境設定ではなく、汎用的な初期モードによって販売されたテレビジョン・セットの機能をパーソナライズすることにある。
【００１８】
従来技術の問題点を克服するために、本発明は、広義の意味で、テレビジョン・セットの状態および利用可能な機能に関連するコンテキスト情報の領域だけでなく、１つ以上のグラフィックまたはビデオ・コンテンツを結合する、マルチメディア・データ・テレビジョン・セットの表示を制御する方法に関する。この方法は、外部手段からの少なくとも１つの情報項目に従う機能に向かって動的コネクタを開くためのみならず、視覚表現コンテキストをパーソナライズするための操作を実行するために専用化された手段を備えるセキュア・ソフトウェア・アプリケーションをテレビジョン・セットにインストールするステップを備えることを特徴とする。
【００１９】
本発明は、運用者とは完全に独立に一般的なテレビジョン・セット（または、デコーダ）の製造・供給を行い、運用者とは独立（“over the top”モデル）な提供での使用さえも可能にする。
【００２０】
テレビジョン・セットはユニークな識別子を保存するメモリを含む。初期または続いてのインストール・ステップの間、コンピュータ・アプリケーションがテレビジョン・セットによって実行されて、以下のタスクを実行する。
・ テレビジョン・セットのメモリ内に直接または間接的にアドレスが保存されているプラットフォームに、インターネット・プロトコル経由でログインするステップ、
・テレビジョン・セットのユニークな識別子、および、例えばメモリ・カードまたは全ての他の既知の手段による外部手段からのサービス提供者の識別子を、テレビジョン・セットによってプラットフォームへ伝送するステップ、
・前記識別子の有効な組合せ（テレビジョン・セットのユニークな識別子およびサービス提供者の識別子）を、プラットフォームによってチェックするステップ。そのようなチェックは、非正当なユーザによる環境設定の不正行為、または不正使用のリスクを軽減させることが可能になる。すなわち、第２識別子の不正所有、第１識別子が登録されているテレビジョン・セットを所有していない第３者は、新しい環境設定から利益を得ることができない。
・組合せが非有効である場合、テレビジョン・セットは初期状態に留まり、機器識別子とサービス提供者の識別子の組合せの非有効についての情報メッセージをオプションで表示する。
・組合せが有効である場合、プラットフォームによりテレビジョン・セットのメモリ内に保存されている環境設定ファイルの伝送、および、環境設定ファイル内に含まれるパラメータを考慮する環境設定プログラムの実行。
【００２１】
これらのタスクを実行することは、テレビジョン・セットおよびテレビジョン・セットと連携するプラットフォームの間で双方向対話を確立する能力を必要とする。そのような解決策は例えば米国特許出願公開第２００９／１４４７６６号が提供するような従来技術の方法では可能ではない。このドキュメントは端末の識別を可能にする端末の識別子について記述がない。環境設定ファイルはネットワークによって多重放送ストリーム内に「プッシュ」される。
【００２２】
本発明はこのように、テレビジョン・セット自体のサービス提供を一般的なテレビジョン・セットに提供し、サービスは製造者の決定、すなわち、外部データベースを通して、例えばサーバ上においてサービス提供を決定することで動的に進化する。それ（テレビジョン・セット）はまた、これらの運用者によって提供されるサービスのみならず、動的に進化するような運用者のリストを有する、製造者のパートナーである運用者からのサービス提供を受けることが可能である。
【００２３】
本発明はまた、配信プラットフォームからのビデオ・オン・デマンドのカタログへのアクセスから、他のカタログへ切り換えするように環境設定を編集することを可能にする。
【００２４】
本発明はまた、アパート共同住宅のケーブル上のストリーム、または多重放送ストリームをキャプチャして他のユーザの加入をハッキングすることを防止することによって、そのような変更のセキュリティを保証することを可能にする。
【００２５】
第１の代替解決策によれば、前記外部手段からの識別子は暗号化機能を処理する手段をさらに備えるセキュア・メモリ・カード内に保存される。
【００２６】
第２の代替解決策によれば、前記外部手段からの識別子は、サーバによる識別および認証モードに従って、コンテンツ提供、および／もしくは、サービス提供運用者のネットワークを通して伝送される。
【００２７】
第３の代替解決策によれば、前記外部手段からの識別子はサービス提供運用者のローカル網のアクセス・ポイントにおいて交換される情報によって構成される。
【００２８】
第４の代替解決策によれば、前記外部手段からの識別子はユーザ認証手段によって決定される。
【００２９】
第５の代替解決策によれば、前記外部手段からの識別子はテレビジョン・セット（またはデコーダ）のＨＤＭＩ（登録商標）入力に接続されるサードパーティ機器からの識別子で構成される。
【００３０】
第６の代替解決策によれば、前記外部手段からの識別子はテレビジョン・セット（またはデコーダ）へ送信されるビデオ信号内にコンポジションによって書き込まれる。
【００３１】
好ましくは、パーソナライゼーション・データは、プロファイル専用の視覚表現識別子のみならず、利用可能なサービス識別子を含むＸＭＬタイプの環境設定ファイルとして、プロファイル内に保存される。
【００３２】
個別の実施形態によれば、活性化しても良い機能をパーソナライズするデータは、対応するデータ・コネクタを開くことによって利用可能なサービスの環境設定パラメータを含む、ＸＭＬタイプの環境設定ファイル内に保存される。
【００３３】
個別の実施形態によれば、テレビジョン・セットをパーソナライズするためのデータは、接続された周辺機器の少なくとも一部において伝搬される。
【００３４】
好ましくは、視覚表現データはＸＭＬタイプの環境設定ファイル内に保存される。
【００３５】
サービス・パーソナライゼーション・データは、好ましくはバイナリ・ファイルとして１つ以上のコネクタ内に保存され、デコーダ内へのインストール後のローカル実行は前記サービスへのアクセスを付与する。
【００３６】
好ましい代替解決策によれば、方法は前記デコーダ内に登録されたコネクタを更新するステップを備える。
【００３７】
個別の実施形態によれば、方法は放送コンテンツとリンクした対話型コンテンツ・サービス用のコネクタを備え、サードパーティ・コンテンツに向かうリンク環境と放送コンテンツとが動的に連携するＴＶチャネルを可能とする。
【００３８】
本発明はまた、デジタル・テレビジョン・セットに関連する。
デジタル・テレビジョン・セットは、
テレビジョン・セットの状態およびテレビジョン・セットの利用可能な機能に関連するコンテキスト情報の領域と同様に、１つ以上のグラフィックまたはビデオ・コンテンツを結合するマルチメディア・データの表示を制御する手段と、
外部手段からの少なくとも１つの情報項目に依存する機能に向かって動的コネクタを開くための操作と同様に、視覚表現コンテキストをパーソナライズするための操作の実行に専用化された手段を有するセキュア・ソフトウェア・アプリケーションと、
を備えることを特徴とする。
【００３９】
本発明によるデジタル・テレビジョン・セットは、好ましくは、外部手段からの前記情報項目に基づくサービスへのアクセスを有する、動的に活性化しても良い、複数のコネクタを備える。
【００４０】
本発明は、添付図面に図示される例示的な実施形態と対応する、以下の説明から明らかになるであろう。
【図面の簡単な説明】
【００４１】
【図１】本発明の全体的アーキテクチャを表す概略図である。
【図２】本発明のデコーダのアーキテクチャを表す概略図である。
【発明を実施するための形態】
【００４２】
本発明は、テレビジョン・セットに組み込まれる、またはテレビジョン・セットに接続される周辺機器である、既知のタイプのデコーダ２（セット・トップ・ボックス）を実現する。
【００４３】
本発明における「テレビジョン・セット」は、テレビジョン・セットとテレビジョン・セットに接続することが可能な外部デコーダとで形成される集合体のみならず、デコーダと一体化しているテレビジョン・セットを意味する。
【００４４】
デコーダ２は、デコーダ２がインターネット・プロトコルに基づいて通信を行うアプリケーション・サーバ３からの情報へのアクセスを付与するネットワーク・ドア１からのコンピュータ・パーソナライゼーション・オブジェクトを登録するための、メモリ領域４０を備える。
【００４５】
図２はデコーダのアーキテクチャの概略図を示す。デコーダは、受信および多重分離モジュール２０、マイクロプロセッサ２１、第１の双方向通信バス２２、２３、プログラム・メモリ２４、データ・メモリ２５、アクセス制御モジュール２６を備える。
【００４６】
デコーダは一般的に、デコーダ２内部に提供されるセンサー２８を経由し、ＲＦ、ＷｉＦｉ、または赤外線リンクを通して通信するリモートコントロール２７によって駆動される。このリモートコントロール２７は、専用機器、またはデコーダ２駆動機能を提供するよう実行することができるアプリケーションがインストールされている携帯電話機もしくはタブレットによって形成される。
【００４７】
リンク２９は受信モジュール２０から暗号解除およびオーディオ／ビデオ圧縮解除モジュール３０への信号の伝送を提供する。
【００４８】
アクセス制御モジュール２６と同様に、プログラム・メモリ２４およびデータ・メモリ２５は、メモリ集合体４０へ接続される。このメモリ集合体４０には、アプリケーション・サーバ３内に位置するサービス・プラットフォームからダウンロードされる、コネクタ４および拡張手段５が登録される。
【００４９】
アプリケーション・サーバ３はデジタル・オブジェクトへのアクセスを提供し、デジタル・オブジェクトは以下を備える。
−「サービス・プラットフォーム・クライアント」タイプのコネクタ４の集合、
−機能を追加し、デコーダ２インターフェースを管理するアプリケーションを適用するよう意図されている「プラグイン」タイプの拡張モジュール５の集合。
【００５０】
アプリケーション・サーバ３は、更新マネージャー１０、プロファイル・マネージャー１１、およびサーバ・アプリケーション１２を備える。
【００５１】
プロファイル・マネージャーの説明
【００５２】
プロファイルは「運用者無し・製造者単独」モードと同様に、各「製造者／運用者」結合用に決定される。
【００５３】
このプロファイルは、関連する「製造者／運用者」結合に利用可能であるサービス・リストを定義する。１つ以上のコネクタが各サービスと連携する。
【００５４】
各プロファイルは、特定の視覚表現を制御する環境設定ファイルと連携する。
【００５５】
サービスおよび機能は、以下のタイプであるが、これらに限定されるものではない。
−プログラム・ガイド
−テレビジョン・サービス・マップ
−ＶＯＤカタログ
−アプリケーション・プラットフォーム
−ゲーム・プラットフォーム
−推奨エンジン
−課金システム
−・・・・
【００５６】
プロファイルは、必要であれば、関連する運用者と連携する製造者によって構築される。プロファイルは、適用が意図されているデコーダ２の識別子に対応する第１のユニークな署名と、既知のメカニズム（ネットワーク識別子、メモリ・カード、・・・）を使用する前記運用者の識別子に対応する、関連するサービス運用者と連携する第２の署名と、を備える。
【００５７】
各デコーダ２は物理的には第１のハードウェア識別子と連携し、オプションとして１つ以上の第２の運用者識別子と連携する。これらの識別子はデコーダのコンピュータ・メモリに保存される。
【００５８】
仮に第２の運用者識別子が無い場合は、サービス提供は製造者からの提供であり、製造者は、この場合、サービス運用者の役割を担う。
【００５９】
最初のインストールもしくはデコーダ２をリセットする時、または、新しい運用者識別子を検出した時は、デコードはサービス・プラットフォーム３にインストールされているプロファイル・マネージャーと情報交換の開始を制御する。
【００６０】
新しい運用者の検出は、登録されている運用者識別子を検出することに起因しても良く、運用者識別子は下記のいずれかのように得られる。
−サービス運用者によって供給されるメモリ・カード内において、
−または、デコーダ２が取り付けられているローカル網の識別子を通して、
−または、デコーダ・ユーザが加入している通信運用者の識別子を通して、
−または、特別なインターフェースを経由する対話を通してのデコーダ・ユーザの認証を通して、
−または、例えば、携帯電話運用者の識別子が保存され、デコーダ２に伝送されることで正当化される携帯電話等の制御周辺機器によって開始される認証を通して、
−または、ＨＤＭＩ（登録商標）接続上でデコーダ２に伝送されるサードパーティのオーディオ・ビジュアル機器の識別子を通して、
−または、デコーダ２に伝送されるビデオ信号内のコンポジションによって書き込まれる識別子を通して。
【００６１】
この対話は、セキュア・プロトコル（ｈｔｔｐｓ、セキュア・ウェブ・サービス、ＸＭＬ−ＲＰＣ、・・・）を用いて、デコーダからプロファイル・マネージャーへ、関連するデコーダの前記第１および第２識別子を伝送することで構成される。
【００６２】
この識別子のユニークな結合の認識は、対応する特定のプロファイルを決定する。
【００６３】
このプロファイルは、関連するデコーダに伝送されるコネクタと環境設定ファイルの集合体で構成される。
【００６４】
例示的なコネクタの詳細な説明
【００６５】
コネクタ４はデコーダによってダウンロードされ、パーソナライゼーション・メモリ領域４０にインストールされることを意図しているアプリケーションである。これらのアプリケーションは、サービス・プラットフォームとの通信を確立し、例えば、ビデオ・オン・デマンド（ＶＯＤ）、プログラム・ガイド（ＥＰＧ）、またはアプリケーション・ストア（Ａｐｐ  Ｓｔｏｒｅ：米国登録商標）に関連するメタデータを取得するためのバックグラウンド・タスクとして、デコーダ２内で実行される。そのようなメタデータはイメージ、ＶＯＤコンテンツのサムネール、文字等の付加的要素と連携する。そのようなパーソナライゼーション・メタデータは、デコーダ２によってコネクタ４を実行する範囲内において、デコーダ２内のパーソナライゼーション・メモリ４０内にローカル保存される。
【００６６】
デコーダ２は、インターフェースを管理する一般的なアプリケーション６を備え、その（アプリケーション６の）操作は、デコーダ２内にダウンロードされ、インストールされた拡張モジュール５によって変更される。
【００６７】
第１の例はビデオ・オン・デマンド・コネクタに関連する。
それ（ビデオ・オン・デマンド・コネクタ）はアプリケーション・サーバ内に保存されているバイナリ・コードを用いるデジタル・ファイルによって構成される。それは、前記コネクタのユニークな識別子を有するサービス運用者によって署名される。コネクタのコードは、以下を含む。
−アプリケーション・サーバ３からデコーダ内にダウンロードした後で、デコーダ２が実行することができるアプリケーション、
−運用者専用のメタデータ。そのようなメタデータは、ビデオ・オン・デマンド・サービスの場合には、それぞれがカタログのコンテンツを記述する文字およびグラフィック情報、そのようなコンテンツのアドレスおよび読み取りモード、もしあるなら、前記コンテンツを読むことが可能なように活性化されるセキュリティ・スキームを含む。
−関連するサービスに専用の視覚表現用の環境設定情報。
【００６８】
実行可能なアプリケーションは以下の機能を完全に満足する。
−それ（実行可能なアプリケーション）は、デコーダ２のメモリ内における、ビデオ・オン・デマンド・カタログのローカル・データベースのローディングまたは更新を制御する。
−それは、前記サービスによって要求されるデコーダのハードウェアまたはソフトウェア・セキュリティ・メカニズムを、活性化または非活性化する。
【００６９】
デジタルＩＰＴＶテレビジョン・サービスのために、それ（コネクタ）は、アプリケーション・サーバに保存されているバイナリ・コードを用いるデジタル・ファイルによって構成される。それは、前記コネクタのユニークな識別子を有すると考えられるデジタル・テレビジョン・サービス運用者によって署名される。コネクタのコードは、以下を含む。
−アプリケーション・サーバ３からデコーダ内にダウンロードされた後で、デコーダ２によって実行されることが可能なアプリケーション、
−運用者専用のメタデータ。そのようなメタデータは、以下を含む。
○ユーザによってアクセス可能なチャネル・リストによって構成されるサービス・マップ、
○前記チャネルのアドレス、
○プログラム・モザイクのアドレス、
○電子プログラム・ガイドからの情報
【００７０】
デジタル・テレビジョン・サービス用のコネクタは、また、デコーダがビデオ・ストリームを読み取ることを許可するように、関連する運用者からのビデオ・ストリームの安全を保証する手段用の環境設定ファイルを備える。
【００７１】
第３の例は、課金サービス用コネクタに関連する。
【００７２】
このコネクタは、また、デコーダへ接続される課金プラットフォーム８へのアクセス・パスを決定する情報を含む。この課金プラットフォーム８は、運用者と共にトランザクションを管理する、さらにより具体的には課金サービスまたはコンテンツへのアクセスの正当性と、課金サービスまたはコンテンツの活性化または非活性化と、を管理する。この第１の代替解決策によれば、コネクタ４はデコーダの製造時点においてデコーダ内に事前インストールされる。
【００７３】
第４の実施例は、放送コンテンツに関連する対話型コンテンツのサービス用コネクタに関する。
【００７４】
そのようなサービスは、テレビジョン・チャネルがサードパーティ・コンテンツまたはサービスに向かうリンク環境を放送コンテンツと動的に連携ようにすることができる。例えば、
−チャネルのＶＯＤプラットフォーム上で、オン・デマンドでフィルムへのアクセスを付与するリンク、
−チャネルによって提供されるアプリケーション、例えばゲームのようなアプリケーションを実行するリンク、
−チャネルまたはチャネルのパートナーのウェブサイトに向かうリンク。
【００７５】
このサービスはプラットフォーム３専用のアクセスを通してチャネルによって管理され、それ（チャネル）がそのコンテンツと連携することを望むリンクを決定できるようにする。
【００７６】
コネクタ４は、デコーダの多様なサービスを閲覧するというユーザによって発生されるデフォルト要求のパラメータを動的に変更するデータ・プレゼンテーション・インターフェースを環境設定するアプリケーションを備える。変更されたパラメータはサービス・プラットフォーム上においてチャネルによって決定されたパラメータを考慮する。
【００７７】
更新マネージャーの説明
【００７８】
デコーダはまた、デコーダ内にインストールされたコネクタ４および拡張モジュール５の定期的編集を実行する更新マネージャーを備える。アプリケーション・サーバ３上における新しいコネクタ４もしくは新しい拡張モジュール５の利用可能性を検出すると、更新マネージャーは新しいデジタル・オブジェクト、または以前にインストールされたデジタル・オブジェクトの新しいバージョンのデジタル・オブジェクトのダウンロードおよびインストールを命令する。
【００７９】
システム初期化
【００８０】
テレビジョン・セットまたはデコーダ２は、以下を可能にする最小のサービス環境設定が供給される：
−デコーダ提供者、および／または、提供者のパートナーによって選択されるサービス・プラットフォーム３の役割、コネクタの役割を担うサーバへのアクセスおよびプロファイル・マネージャーへのアクセスを管理、
−前記サービス・プラットフォーム３と通信することなく、デコーダ２の製造者によって事前にインストールされているコネクタを経由してのデフォルト・サービス提供の実行。この事前インストール・コネクタは対応するサービスへのアクセスを可能にする。
【００８１】
この手順は、サービス提供者および運用者の間の全ての運用モードおよび協調関係のために、一般的なデコーダを用いることを可能にする。
【００８２】
コネクタ４および拡張モジュール５は、その自動更新を保証するように定期的にモニターされる。
【００８３】
それら（コネクタ４および拡張モジュール５）は、サービス運用者における時期超過の場合または変更の場合において、デコーダ２またはテレビジョン・セットにおけるいかなる他のアクション無しに置換、または取り除くことが可能である。これらの変更はデコーダ２を再開した後で考慮される。
【００８４】
もしテレビジョン・セットまたはデコーダが携帯電話機またはタブレット・タイプの１つ以上のリモートコントロールと連携しているなら、新しい拡張モジュール５のインストールの際もしくはその更新の際に、または新しい機器の最初の接続もしくはサービス運用者を変更する際に、パーソナライゼーション・データ、より具体的にはグラフィック・インターフェースを定義するデータが、デコーダによって機器へ受け渡される。
【図１】
2015533031.tif 000003
【図２】
2015533031.tif 000004
【国際調査報告】
2015533031.tif 000005
2015533031.tif 000006
2015533031.tif 000007
2015533031.tif 000008
2015533031.tif 000009
2015533031.tif 000010
2015533031.tif 000011
2015533031.tif 000012
2015533031.tif 000013